(57)【要約】【課題】撮影の操作性に優れたテレビカメラシステムを提供する。【解決手段】ＡＦ枠の操作を行うタッチパネル付きのＬＣＤ５０が、ブラケット１００を介してフォーカスデマンド３０のボディ３６に取り付けられる。ブラケット１００は、Ｌ字状に形成されており、その垂直面部１０２に形成された長穴１０６を介してボディ３６にブラケット固定ネジ１０８で固定される。ＬＣＤ５０は、長穴１１２を介してブラケット１００の水平面部１０４にＬＣＤ固定ネジ１１４で固定される。ブラケット１００に対するＬＣＤ５０の固定位置、及び、ボディ２３６に対するブラケット１００の固定位置を調整することにより、ボディ３６に対するＬＣＤ５０の設置位置を調整できる。【選択図】図３
2011109324.tif 000002
【特許請求の範囲】
【請求項１】
操作棒によって操作される雲台と、
カメラ本体とレンズ装置とで構成され、前記雲台の上に設置されるテレビカメラと、
ボディが前記操作棒に取り付けられ、該ボディに前記レンズ装置のフォーカスを操作する操作部材が設けられたフォーカスコントローラと、
前記テレビカメラによって撮影された撮影画像を表示するとともに、該撮影画像に重畳させて現在設定されているＡＦ枠を表示するディスプレイと、
前記フォーカスコントローラに前記ディスプレイを取り付けるためのブラケットであって、前記フォーカスコントローラのボディの側面部に一対のブラケット固定ネジでネジ止めされる垂直なフォーカスコントローラ取付面部と、前記ディスプレイの下面部がディスプレイ固定ネジでネジ止めされる水平なディスプレイ取付面部とを備え、前記フォーカスコントローラ取付面部に前記一対のブラケット固定ネジを通すための一対の長穴が前記ディスプレイ取付面部に直交して形成されるとともに、前記ディスプレイ取付面部に前記ディスプレイ固定ネジを通すための長穴が前記フォーカスコントローラ取付面部に直交して形成されたブラケットと、
を備えたテレビカメラシステム。
【請求項２】
前記ブラケットは、長方形の板材を直角に屈曲させてＬ字状に形成されることを特徴とする請求項１に記載のテレビカメラシステム。
【請求項３】
前記ディスプレイ取付面部には、前記ディスプレイ固定ネジによって自由雲台が取り付けられ、該自由雲台に前記ディスプレイが取り付けられることを特徴とする請求項１又は２に記載のテレビカメラシステム。
【請求項４】
前記ディスプレイは、タッチパネル付きディスプレイであり、前記ＡＦ枠の位置の指定が画面へのタッチ操作で行われることを特徴とする請求項１〜３のいずれか一項に記載のテレビカメラシステム。
【請求項５】
前記フォーカスコントローラには、前記ボディの側面部にフォーカスノブが設けられ、前記ブラケットは、前記フォーカスノブの後方位置に前記フォーカスコントローラ取付面部が前記ブラケット固定ネジでネジ止めされることを特徴とする請求項１〜４のいずれか一項に記載のテレビカメラシステム。
【発明の詳細な説明】
【技術分野】
【０００１】
本発明は、テレビカメラシステムに係り、特にテレビカメラによって撮影された撮影画像に重畳させて現在設定されているＡＦ枠を表示するディスプレイを備えたテレビカメラシステムに関する。
【背景技術】
【０００２】
テレビカメラに搭載されているオートフォーカスシステムでは、ピントを合わせたい範囲（フォーカスエリア）を任意に指定できるようにされている。
【０００３】
このフォーカスエリアの指定は、従来、ビューファインダ上にＡＦ枠（フォーカスエリアを囲う枠）を表示し、そのＡＦ枠を雲台の操作棒に設けられたジョイスティック等で移動させることにより行われていた（たとえば、特許文献１等参照）。あるいは、ビューファインダの画面にタッチパネルを設置し、ビューファインダの画面をタッチすることにより行われていた（たとえば、特許文献２等参照）。
【先行技術文献】
【特許文献】
【０００４】
【特許文献１】特開２００６−１９５３４２号公報
【特許文献２】特開２００２−３６５５１９号公報
【発明の概要】
【発明が解決しようとする課題】
【０００５】
ところで、上記のようにビューファインダ上にＡＦ枠を表示させてフォーカスエリアを任意に指定できるようにする場合、通常、ビューファインダにはＡＦ枠だけではなく、そのＡＦ枠の設定に関わる各種メニュー項目等が表示される。
【０００６】
しかしながら、ビューファインダ上にＡＦ枠やメニュー項目等が表示されていると、撮影映像の視認性が低下するという欠点がある。
【０００７】
また、ビューファインダをタッチして、ＡＦ枠の位置を指示する構成とすると、撮影の操作性が低下するという欠点がある。
【０００８】
本発明は、このような事情に鑑みてなされたもので、撮影の操作性に優れたテレビカメラシステムを提供することを目的とする。
【課題を解決するための手段】
【０００９】
請求項１に係る発明は、前記目的を達成するために、操作棒によって操作される雲台と、カメラ本体とレンズ装置とで構成され、前記雲台の上に設置されるテレビカメラと、ボディが前記操作棒に取り付けられ、該ボディに前記レンズ装置のフォーカスを操作する操作部材が設けられたフォーカスコントローラと、前記テレビカメラによって撮影された撮影画像を表示するとともに、該撮影画像に重畳させて現在設定されているＡＦ枠を表示するディスプレイと、前記フォーカスコントローラに前記ディスプレイを取り付けるためのブラケットであって、前記フォーカスコントローラのボディの側面部に一対のブラケット固定ネジでネジ止めされる垂直なフォーカスコントローラ取付面部と、前記ディスプレイの下面部がディスプレイ固定ネジでネジ止めされる水平なディスプレイ取付面部とを備え、前記フォーカスコントローラ取付面部に前記一対のブラケット固定ネジを通すための一対の長穴が前記ディスプレイ取付面部に直交して形成されるとともに、前記ディスプレイ取付面部に前記ディスプレイ固定ネジを通すための長穴が前記フォーカスコントローラ取付面部に直交して形成されたブラケットと、を備えたテレビカメラシステムを提供する。
【００１０】
本発明によれば、撮影画像に重畳させて現在設定されているＡＦ枠を表示するディスプレイが、ブラケットを介してフォーカスコントローラに取り付けられる。ブラケットは、垂直なフォーカスコントローラ取付面部が、ブラケット固定ネジでフォーカスコントローラのボディ側面にネジ止めされて取り付けられるが、このフォーカスコントローラ取付面部は、長穴にブラケット固定ネジが通されて、フォーカスコントローラのボディにネジ止めされる。このため、ブラケットは、フォーカスコントローラのボディに対して、垂直方向に取り付ける位置を調整することができる。一方、ディスプレイは、その下面部が、ブラケットの水平なディスプレイ取付面部にディスプレイ固定ネジでネジ止めされて取り付けられる。このディスプレイは、ディスプレイ取付面部に形成された長穴にディスプレイ固定ネジが通されて、ディスプレイ取付面部に取り付けられる。このため、ディスプレイは、ディスプレイ取付面部に対して、水平方向に取り付ける位置を調整することができるとともに、画面の向きを調整することができる。すなわち、本発明によれば、フォーカスコントローラに対して、画面の向き、高さ、横方向の位置を任意に調整して、ディスプレイを取り付けることができる。これにより、カメラマンが見やすい位置にディスプレイを設置でき、撮影の操作性を向上させることができる。
【００１１】
請求項２に係る発明は、前記目的を達成するために、前記ブラケットは、長方形の板材を直角に屈曲させてＬ字状に形成されることを特徴とする請求項１に記載のテレビカメラシステムを提供する。
【００１２】
本発明によれば、ブラケットが、長方形の板材を直角に屈曲させてＬ字状に形成される。これにより、構成を簡略化することができる。なお、この場合、屈曲した一方が垂直部、他方が水平部とされ、垂直部がフォーカスコントローラ取付面部、水平部がディスプレイ取付面部とされる。
【００１３】
請求項３に係る発明は、前記目的を達成するために、前記ディスプレイ取付面部には、前記ディスプレイ固定ネジによって自由雲台が取り付けられ、該自由雲台に前記ディスプレイが取り付けられることを特徴とする請求項１又は２に記載のテレビカメラシステムを提供する。
【００１４】
本発明によれば、自由雲台を介して、ディスプレイがブラケットに取り付けられる。これにより、ディスプレイの画面の向きを任意の向きに調整することができるようになり、撮影の操作性を更に向上させることができる。
【００１５】
請求項４に係る発明は、前記目的を達成するために、前記ディスプレイは、タッチパネル付きディスプレイであり、前記ＡＦ枠の位置の指定が画面へのタッチ操作で行われることを特徴とする請求項１〜３のいずれか一項に記載のテレビカメラシステムを提供する。
【００１６】
本発明によれば、ディスプレイが、タッチパネル付きディスプレイで構成され、ＡＦ枠の位置の指定が画面へのタッチ操作で行われる。これにより、ＡＦ枠の位置の指定操作を簡単に行うことができ、撮影の操作性を更に向上させることができる。
【００１７】
請求項５に係る発明は、前記目的を達成するために、前記フォーカスコントローラには、前記ボディの側面部にフォーカスノブが設けられ、前記ブラケットは、前記フォーカスノブの後方位置に前記フォーカスコントローラ取付面部が前記ブラケット固定ネジでネジ止めされることを特徴とする請求項１〜４のいずれか一項に記載のテレビカメラシステムを提供する。
【００１８】
本発明によれば、フォーカスコントローラのボディの側面部にフォーカスノブが設けられ、そのフォーカスノブの後方位置にブラケットが取り付けられる。これにより、フォーカスノブの操作性を損なうことなく、ディスプレイをフォーカスコントローラに取り付けることができる。
【発明の効果】
【００１９】
本発明によれば、画面の向き、高さ、水平方向位置を調節して、ディスプレイをフォーカスコントローラに取り付けることができる。これにより、撮影の操作性を向上させることができる。
【図面の簡単な説明】
【００２０】
【図１】本発明に係るテレビカメラシステムの一実施の形態を示す外観図
【図２】ＡＦ枠の説明図
【図３】フォーカスデマンドの外観構成を示す斜視図
【図４】ＬＣＤに表示される画面の一例を示した図
【図５】ブラケットの構成を示す正面断面図
【図６】ブラケットの構成を示す側面部分断面図
【図７】ＬＣＤの取付構造の他の実施の形態を示す図
【発明を実施するための形態】
【００２１】
以下、添付図面を参照して、本発明に係るテレビカメラシステムの好ましい実施の形態について詳説する。
【００２２】
図１は、本発明に係るテレビカメラシステムの一実施の形態を示す外観図である。
【００２３】
同図に示すように、本実施の形態のテレビカメラシステムは、放送用のテレビカメラシステム１０であり、テレビカメラ１２と、そのテレビカメラ１２をパン・チルト操作するための雲台１４と、雲台１４が設置されるペデスタルドリー１６とを備えている。
【００２４】
テレビカメラ１２は、ハイビジョンテレビ方式に対応したＨＤカメラからなるカメラ本体１８と、そのカメラ本体１８のレンズマウントに装着されるレンズ装置２０とで構成されている。
【００２５】
カメラ本体１８には、撮像素子（たとえばＣＣＤ）や所要の信号処理回路等が搭載されている。レンズ装置２０により結像された像は、撮像素子により光電変換された後、信号処理回路によって所要の信号処理が施されて、ＨＤＴＶ方式の映像信号（ＨＤＴＶ信号）として、カメラ本体１８の映像信号出力端子から外部に出力される。
【００２６】
カメラ本体１８の上部にはビューファインダ２２が設置されており、このビューファインダ２２にテレビカメラ１２で撮影された映像が表示される。
【００２７】
レンズ装置２０は、図示を省略するが、その構成要素としてフォーカスレンズ群、ズームレンズ群、絞りなどの撮影条件を調整するための可動部を備えている。これらの可動部は、モータによって駆動される。たとえば、フォーカスレンズ群やズームレンズ群は、光軸方向に移動可能に設けられており、モータに駆動されて移動する。そして、フォーカスレンズ群が移動することにより、フォーカス調整が行われ、ズームレンズ群が移動することにより、ズーム調整が行われる。
【００２８】
また、図示を省略するが、レンズ装置２０には、ＡＦユニット、レンズＣＰＵ等が搭載されている。
【００２９】
レンズＣＰＵは、レンズ装置全体の動作を統括制御するものである。
【００３０】
ＡＦユニットは、ＡＦ制御に必要な情報を取得するための処理部であり、ＡＦ処理部、ＡＦ用撮像回路等から構成されている。
【００３１】
ＡＦ用撮像回路は、ＡＦ処理用の映像信号を取得するためにレンズ装置２０に配置されており、ＡＦ用の撮像素子や、そのＡＦ用撮像素子の出力信号を所定形式の映像信号として出力する処理回路等を備えている。ＡＦ用撮像素子の撮像面には、レンズ装置２０の光路上に配置されたハーフミラー等によってカメラ本体１８の撮像素子に入射する被写体光から分岐された被写体光が結像するようになっている。ＡＦ用撮像素子の撮像エリアに対する撮影範囲及び被写体距離（ピントが合う被写体の距離）は、カメラ本体１８の撮像素子の撮像エリアに対する撮影範囲及び被写体距離に一致するように構成されており、ＡＦ用撮像素子により取り込まれる被写体画像は、カメラ本体１８の撮像素子によって取り込まれる被写体画像と一致する。
【００３２】
ＡＦ処理部は、ＡＦ用撮像回路から映像信号を取得し、その映像信号に基づいて、所定のフォーカスエリア内の被写体画像のコントラストの高低を示す焦点評価値を算出する。たとえば、ＡＦ用撮像素子から得られた映像信号から高域周波数成分の信号をハイパスフィルタによって抽出した後、その高域周波数成分の信号のうち後述のようにして設定されるフォーカスエリアに対応する範囲の信号を１フレームずつ積算する。このようにして１フレームごとに得られる積算値は、フォーカスエリア内の被写体画像のコントラストの高低を示し、その積算値が焦点評価値としてレンズＣＰＵに与えられる。
【００３３】
レンズＣＰＵは、フォーカスエリアの範囲（輪郭）を示すＡＦ枠の情報（ＡＦ枠情報）を、後述するように画像処理ユニットから取得し、そのＡＦ枠情報により指定されたＡＦ枠内の範囲をフォーカスエリアとしてＡＦ処理部に指定する。そして、そのフォーカスエリア内の画像により求められる焦点評価値の情報をＡＦ処理部から取得する。
【００３４】
このようにしてＡＦ用撮像回路から１フレーム分の映像信号が取得されるごとに、ＡＦ処理部から焦点評価値を取得するとともに、取得した焦点評価値が最大となるように、フォーカスレンズ群を制御する。たとえば、焦点評価値に基づくフォーカスレンズ群の制御方式として山登り方式が一般的に知られており、フォーカスレンズ群を焦点評価値が増加する方向に移動させて行き、焦点評価値が減少し始める点を検出すると、その位置にフォーカスレンズ群を設定する。これにより、ＡＦ枠内の被写体に自動でピントが合わせられる。
【００３５】
なお、上述のＡＦ処理部は、焦点評価値を算出するために、レンズ装置２０に搭載されたＡＦ用撮像素子から映像信号を取得しているが、カメラ本体１８の撮像素子より撮影された映像の映像信号をカメラ本体１８から取得するような構成としてもよい。また、ＡＦ枠内の被写体に自動でピントを合わせるためのＡＦ手段はどのようなものであってもよい。
【００３６】
ここで、フォーカスエリア２００は、図２に示すようにカメラ本体１８における撮像素子の撮像エリア２０２に対して四角形状の領域として設定される。そして、その輪郭を示す枠がＡＦ枠２０４とされ、そのＡＦ２０４で囲われる領域がＡＦによりピントを合わせる対象となる。
【００３７】
なお、本明細書において、ＡＦ枠２０４の範囲は、ＡＦ枠２０４の位置、大きさ、形状（縦横比）の３つの要素によって決まるものとし、「ＡＦ枠の範囲を変更する」という趣旨の記載は、ＡＦ枠の位置、大きさ、形状の３つの要素のうち、少なくとも１つの要素を変更することを意味するものとする。
【００３８】
また、レンズ装置２０は、カメラ本体１８と電気的に接続されており、各種情報の送受信が可能とされている。これにより、たとえば、ＡＦユニットにおいて現在設定されているＡＦ枠の情報をカメラ本体１８に送信し、カメラ本体１８側での処理によってビューファインダ２２に表示される撮影映像に重ねてＡＦ枠を表示すること等が可能になる。
【００３９】
テレビカメラ１２は、雲台１４に設置されており、この雲台１４によって、パン・チルト操作が行われる。
【００４０】
雲台１４には、左右２本の操作棒２４、２６が設けられている。各操作棒２４、２６の先端には、グリップ部２４Ａ、２６Ａが設けられており、カメラマンは、このグリップ部２４Ａ、２６Ｂを把持して、雲台１４を操作する。
【００４１】
また、左側の操作棒２４のグリップ部２４Ａには、ズームデマンド（ズームコントローラ）２８が取り付けられており、右側の操作棒２６のグリップ部２６Ａには、フォーカスデマンド（フォーカスコントローラ）３０が、マウンティングクランプ３２によって取り付けられている。
【００４２】
ズームデマンド２８には、レンズ装置２０のズームを操作するためのサムリング３４がグリップ部２４Ａの軸回りに回動可能に設けられている。このサムリング３４が回動操作されると、その回動位置に応じたズーム速度を目標速度としてズーム（ズームレンズ）の移動を指令するズーム制御信号が、ズームデマンド２８からレンズ装置２０に与えられる。これにより、レンズ装置２０のズームレンズ群が、ズーム制御信号によって指令された目標速度で移動する。
【００４３】
フォーカスデマンド３０は、箱状に形成されたボディ３６を備えている。フォーカスデマンド３０は、このボディ３６がマウンティングクランプ３２にフォーカスデマンド固定ネジ３８によってネジ止めされることにより、操作棒２６に取り付けられる。ボディ３６の一方側の側面には、ボディ３６をマウンティングクランプ３２にネジ止めするための装着部４０が形成されている。ボディ３６は、この装着部４０に形成されたネジ穴にフォーカスデマンド固定ネジ３８を螺合させることにより、マウンティングクランプ３２に取り付けられる。
【００４４】
図３は、フォーカスデマンドの外観構成を示す斜視図である。
【００４５】
フォーカスデマンド３０のボディ３６の他方側の側面には、レンズ装置２０のフォーカスをマニュアルで操作するためフォーカスノブ４２が設けられている。このフォーカスノブ４２は、中心の軸周りに回動可能に設けられており、その軸がボディ３６の側面に直交して取り付けられている。ＭＦモード時、このフォーカスノブ４２が回動操作されると、その回動位置に応じたフォーカス位置を目標位置としてフォーカス（フォーカスレンズ）の移動を指令するフォーカス制御信号が、フォーカスデマンド３０からレンズ装置２０に与えられる。これにより、レンズ装置２０のフォーカスレンズが、フォーカス制御信号によって指令された目標位置に移動する。
【００４６】
また、フォーカスデマンド３０のボディ３６の正面には、ＡＦモードとＭＦモードの切替えやＡＦモードの種類（連続モードやモーメンタリモード）の切替えを行うためのモードスイッチ、ＡＦの開始を指示するＡＦ開始スイッチ等のＡＦの制御内容やＭＦの制御に関する操作を行うための各種操作部材が設けられた操作パネル４４が設けられるとともに、フォーカス制御の設定状況等の情報が表示される液晶表示パネル４５が設けられている。そして、フォーカスデマンド３０のボディ３６の内部には、各種操作部材の設定状態を検出し、検出した設定状態に基づいて制御信号を送出する処理回路等が備えられている。
【００４７】
フォーカスデマンド３０のボディ３６の背面には、レンズ装置２０と電気的に接続するための図示しないコネクタが設けられている。フォーカスデマンド３０は、このコネクタを介してケーブルでレンズ装置２０と接続することにより、レンズ装置２０のレンズＣＰＵとの間で各種信号の送受信を行うことができる。これにより、フォーカスデマンド３０からレンズ装置２０に対して各種制御信号を送出することが可能になり、レンズ装置側では、その制御信号に従った処理をレンズＣＰＵで実行することが可能になる。たとえば、ＡＦによるフォーカス制御（ＡＦモード）の指示が与えられた場合には、上記のようにＡＦユニットから得られる焦点評価値に基づいてＡＦによるフォーカス制御が行われ、ＭＦによるフォーカス制御（ＭＦモード）の指示が与えられた場合には、フォーカスノブ４２の操作に基づいてフォーカスデマンド３０から与えられるフォーカス位置指令信号に従ってＭＦによるフォーカス制御が行われる。
【００４８】
また、フォーカスデマンド３０のボディ３６には、ＡＦ枠の範囲（位置、大きさ、形状（縦横比））を後述のマニュアル操作又はＡＦ枠自動追尾の処理により指定するための画像処理ユニットが内蔵されている。
【００４９】
フォーカスデマンド３０のボディ３６の背面には、この画像処理ユニットに映像信号を取り込むための図示しない映像入力コネクタが設けられている。フォーカスデマンド３０は、この映像入力コネクタを介してカメラ本体１８とケーブルで接続される。これにより、カメラ本体１８から出力された映像信号を画像処理ユニットに取り込むことができる。
【００５０】
画像処理ユニットは、ＡＦ枠自動追尾処理を実行する際に、カメラ本体１８から入力された映像信号から１フレーム分の撮撮画像を順次取り込み、撮影画像の中から所定の追尾対象の被写体を検出する処理を行う。そして、ＡＦによりその被写体にピントが合わせられるようにＡＦ枠の範囲を決定し、決定したＡＦ枠の範囲をレンズ装置２０のレンズＣＰＵに送信する。
【００５１】
フォーカスデマンド３０には、このＡＦ枠の制御に関する操作を行うための操作手段として、タッチパネル付きの液晶ディスプレイ（ＬＣＤ）５０が備えられており、ブラケット１００によってボディ３６に取り付けられている。
【００５２】
このＬＣＤ５０は、ＡＦ枠自動追尾に関するモード等の設定をタッチ操作で入力できるようにしたもので、画像処理ユニットのＣＰＵにより、その画面に表示される画像が設定内容に応じて適宜切り換えられるようにされている。
【００５３】
フォーカスデマンド３０のボディ３６の背面には、このＬＣＤ５０と電気的に接続するための図示しないコネクタが設けられている。フォーカスデマンド３０は、このコネクタを介してケーブルでＬＣＤと接続することにより、ＬＣＤ５０との間で各種信号の送受信を行うことができる。
【００５４】
図４は、ＬＣＤ５０の画面表示の一例を示す図である。同図に示すように、ＬＣＤ５０の画面には、テレビカメラ１２の撮影映像に重畳して各種ボタン３００〜３１０からなるメニュー画像と、現在設定されているＡＦ枠の範囲を示すＡＦ枠の画像２０４（単にＡＦ枠２０４という）とが表示される。
【００５５】
上記のように、ＬＣＤ５０の画面上には、タッチパネルが備えられており、ＬＣＤ５０の画面にタッチ操作が行われると、タッチされた位置（座標）を示す位置情報が、画像処理ユニットのＣＰＵに与えられる。これにより、ＬＣＤ５０の画面に対して行われたタッチ操作の位置や操作の種類（タップ操作、ダブルタップ操作等）が、画像処理ユニットのＣＰＵにより検出される。そして、その操作に従った処理が、画像処理ユニットのＣＰＵにより実行される。
【００５６】
ＬＣＤ５０の画面に対する基本的な操作として、各ボタン３００〜３１０にあらかじめ割り当てられた指示を入力する操作や、ＡＦ枠２０４の範囲を指定する操作があり、前者の操作は、各ボタン３００〜３１０の位置を指先等でタップ操作するものである。後者のＡＦ枠２０４の範囲を指定する操作は、たとえば、撮影映像が表示されたＬＣＤ５０の画面上において、ＡＦ枠２０４を移動させたい位置をタップ操作すれば、その位置が中心となるようにＡＦ枠２０４を移動させることができる。また、ＡＦ枠２０４の頂点や辺を指先等でタッチしてそのままスライドするドラッグ操作によってドラッグ操作した位置までタッチした頂点や辺の位置を移動させてＡＦ枠２０４の大きさや形状を変更することができる。
【００５７】
なお、ＡＦ枠２０４の位置、大きさ、形状の変更操作は、フォーカスデマンド３０のボディ３６に設けられた操作パネル４４で行うようにすることもできる。
【００５８】
ＬＣＤ５０の画面に表示されるメニュー画像について説明すると、図４において、「固定」と表示された固定モード選択ボタン３００、「物体追尾」と表示された物体追尾モード選択ボタン３０２、「顔検出」と表示された顔検出追尾モード選択ボタン３０４、「顔認識」と表示された顔認識追尾モード選択ボタン３０６は、ＡＦ枠の制御モードを選択するボタンであり、これらのボタン３００〜３０６のいずれかをタップ操作することで、固定モード、物体追尾モード、顔検出追尾モード、顔認識追尾モードのうちから所望のモードを選択することできるようになっている。
【００５９】
固定モード（マニュアルモード）は所望のＡＦ枠の範囲（位置、大きさ、形状）を操作者がマニュアル操作で指定し、その指定した位置にＡＦ枠を固定するモードである。
【００６０】
このようにして指定されたＡＦ枠の範囲は、ＡＦ枠情報としてフォーカスデマンド３０からレンズ装置２０のレンズＣＰＵに送信され、ＡＦユニットにおけるＡＦ枠として設定される。
【００６１】
物体追尾モードは、任意の種類の物体をＡＦ枠で追尾させるモードである。このモードでは、撮影映像に対して操作者が追尾対象としたい任意の物体の画像を含むようにＡＦ枠の範囲を指定すると、その範囲の物体が追尾対象として設定される。
【００６２】
顔検出追尾モードは、任意の人物の顔をＡＦ枠で追尾させるモードである。このモードでは、撮影画像の中から任意の人物の顔画像を検出するための周知の顔検出処理が行われる。そして、検出された顔画像の中から追尾対象とする顔画像を操作者が指定すると、その顔画像が追尾対象として設定される。
【００６３】
顔認識追尾モードは、事前に認証データとして登録した人物の顔をＡＦ枠で追尾させるモードである。このモードでは、撮影画像の中から事前に登録された人物の顔画像を検出するための周知の顔検出処理が行われる。そして、検出された顔画像が追尾対象として設定される。
【００６４】
なお、図４において、「セット」と表示されたセットボタン３０８と、「リセット」と表示されたリセットボタン３１０は、ＡＦ枠自動追尾の開始と停止を指示するボタンであり、これらのボタン３０８、３１０は、ＡＦ枠自動追尾の開始又は停止の指示を操作者が行う制御モード（物体追尾モード、顔検出モード）が選択された場合にのみ表示される。
【００６５】
上記のように、ＬＣＤ５０は、ブラケット１００によって、フォーカスデマンド３０のボディ３６に取り付けられる。
【００６６】
このブラケット１００は、長方形の金属板を直角に屈曲させてＬ字状に形成されており、図５に示すように、互いに直交する垂直面部１０２と水平面部１０４とを備えている。
【００６７】
垂直面部１０２は、ブラケット１００をフォーカスデマンド３０のボディ３６の側面部に取り付けるためのフォーカスコントローラ取付面部として機能する。この垂直面部１０２には、図６に示すように、幅方向の中央位置に一対の長穴１０６、１０６が、垂直面部１０２の長手方向に沿って縦列して形成されている。ブラケット１００は、この長穴１０６、１０６にブラケット固定ネジ１０８、１０８のネジ部１０８Ｂ、１０８Ｂを通し、フォーカスデマンド３０のボディ３６の側面に形成された一対のブラケット固定ネジ穴１１０、１１０に螺合させることにより、フォーカスデマンド３０のボディ３６に取り付けられる。
【００６８】
ブラケット固定ネジ１０８、１０８は、円盤状に形成されたツマミ部１０８Ａ、１０８Ａと、そのツマミ部１０８Ａ、１０８Ａの中央部に突出して設けられたネジ部１０８Ｂ、１０８Ｂとで構成されている。ネジ部１０８Ｂ、１０８Ｂは、その外径が長穴１０６、１０６の幅と略同じ幅に形成されており、ブラケット固定ネジ穴１１０、１１０は、このネジ部１０８Ｂ、１０８Ｂに対応して形成されている。
【００６９】
ここで、このフォーカスデマンド３０のボディ３６の側面に形成される一対のブラケット固定ネジ穴１１０、１１０は、図３に示すように、フォーカスノブ４２の後方に配置されており、垂直方向に一定の間隔をもって縦列して配置されている。これにより、フォーカスノブ４２の後方（奥側）にブラケット１００が取り付けられるとともに、フォーカスデマンド３０のボディ３６に対して垂直な姿勢でブラケット１００が、ボディ３６に取り付けられる。そして、このように取り付けられたブラケット１００は、ブラケット固定ネジ１０８、１０８を緩めると、長穴１０６、１０６の形成方向に沿って移動可能になり、フォーカスデマンド３０のボディ３６に対して垂直に移動することが可能になる。
【００７０】
水平面部１０４は、垂直面部１０２の上端部から直角に屈曲して水平方向に延びるように形成されている。本例では、この水平面部１０４が、垂直面部１０２よりも短く形成されている。
【００７１】
この水平面部１０４は、ＬＣＤ５０を取り付けるためのＬＣＤ取付面部として機能する。この水平面部１０４には、その幅方向の中央位置に長穴１１２が、水平面部１０４の長手方向に沿って形成されている。
【００７２】
ＬＣＤ５０は、その下面中央にブロック状の固定部５２が設けられており、その固定部５２の下面中央には、ＬＣＤ固定ネジ穴５４が垂直に形成されている。ＬＣＤ５０は、水平面部１０４に形成された長穴１１２にＬＣＤ固定ネジ１１４を通し、そのＬＣＤ固定ネジ１１４のネジ部１１４ＢをＬＣＤ固定ネジ穴５４に螺合させることにより、ブラケット１００に取り付けられる。
【００７３】
ＬＣＤ固定ネジ１１４は、円盤状に形成されたツマミ部１１４Ａと、そのツマミ部１１４Ａの中央部に突出して設けられたネジ部１１４Ｂとで構成されている。ネジ部１１４Ｂは、長穴１１２の幅と略同じ幅で形成されており、ＬＣＤ固定ネジ穴５４に対応して形成されている。
【００７４】
ブラケット１００に取り付けられたＬＣＤ５０は、ＬＣＤ固定ネジ１１４を緩めると、長穴１１２の形成方向に沿って移動可能になり、フォーカスデマンド３０のボディ３６に対して垂直に移動することが可能になる。また、ＬＣＤ固定ネジ１１４の周りを回転可能になり、その画面の向きを左右に変えることが可能になる。
【００７５】
以上のように構成されたブラケット１００によるＬＣＤ５０の取り付けは次のように行われる。
【００７６】
まず、フォーカスデマンド３０のボディ３６の側面部にブラケット１００の垂直面部１０２を当て、長穴１０６、１０６の位置とブラケット固定ネジ穴１１０、１１０の位置を合わせる。この際、ブラケット１００の水平面部１０４が、ボディ３６の上方に位置するようにして、ボディ３６の側面部にブラケット１００の垂直面部１０２を当てる。
【００７７】
次に、ブラケット１００の垂直面部１０２に形成された一対のブラケット固定ネジ穴１１０、１１０にブラケット固定ネジ１０８、１０８のネジ部１０８Ｂ、１０８Ｂを通し、フォーカスデマンド３０のボディ３６に形成されたブラケット固定ネジ穴１１０、１１０に螺合させて、ブラケット１００をボディ３６に仮固定する。
【００７８】
仮止めされたブラケット１００は、その水平面部１０４が、ボディ３６の上面と平行な状態でボディ３６に取り付けられる。このブラケット１００の水平面部１０４にＬＣＤ５０を載置し、ＬＣＤ固定ネジ１１４で固定する。
【００７９】
まず、ＬＣＤ５０の下面部に設けられた固定部５２をブラケット１００の水平面部１０４の上に載置する。そして、その固定部５２の下面中央に形成されたＬＣＤ固定ネジ穴５４の位置とブラケット１００の水平面部１０４に形成された長穴１１２の位置を合わせる。
【００８０】
次に、ブラケット１００の水平面部１０４に長穴１１２に対して、水平面部１０４の下側からＬＣＤ固定ネジ１１４のネジ部１１４Ｂを通し、固定部５２に形成されたＬＣＤ固定ネジ穴５４に螺合させる。これにより、ＬＣＤ５０がブラケット１００の水平面部１０４に仮固定される。
【００８１】
以上により、フォーカスデマンド３０のボディ３６にＬＣＤ５０が取り付けられる。この後、ＬＣＤ５０の設置位置、向きを調整する。
【００８２】
まず、高さ調整を行う。この場合、ブラケット１００の垂直面部１０２に設けられた一対のブラケット固定ネジ１０８、１０８を緩める。一対のブラケット固定ネジ１０８、１０８を緩めると、ブラケット１００は、ボディ３６の側面を長穴１０６、１０６に沿って垂直方向に上下移動可能になる。カメラマンは、このブラケット１００を垂直方向に上下移動させて、ＬＣＤ５０の画面の高さを好みの高さに調整する。調整後、一対のブラケット固定ネジ１０８、１０８を締め、ブラケット１００をボディ３６に固定する。
【００８３】
次に、水平方向の位置及び画面の向きの調整を行う。この場合、ブラケット１００の水平面部１０４に設けられたＬＣＤ固定ネジ１１４を緩める。ＬＣＤ固定ネジ１１４を緩めると、ＬＣＤ５０は、水平面部１０４の上を長穴１１２に沿って水平方向に移動可能になる。また、ＬＣＤ固定ネジ１１４の周りを回転可能になる。カメラマンは、ＬＣＤ５０を水平方向に移動させて、好みの位置に調整する。また、ＬＣＤ固定ネジ１１４の周りを回転させて、画面の向きを好みの向きに調整する。調整後、ＬＣＤ固定ネジ１１４を締め、ＬＣＤ５０をブラケット１００に固定する。
【００８４】
以上一連の工程でフォーカスデマンド３０に対するＬＣＤ５０の取り付けが完了する。フォーカスデマンド３０に取り付けられたＬＣＤ５０は、上記の調整作業を再度行うことにより、その設置位置を自由に調整することができる。
【００８５】
このように、本実施の形態のテレビカメラシステム１０によれば、ＡＦ枠の操作を行うためのＬＣＤ５０が、フォーカスを操作するためのフォーカスデマンド３０のボディ３６に近接して取り付けられ、かつ、その位置を自由に調整できる。これにより、ＡＦモード時における操作性を向上させることができる。
【００８６】
図７は、ＬＣＤの取付構造の他の実施の形態を示す図である。
【００８７】
同図に示すように、ＬＣＤ５０は、ブラケット１００の水平面部１０４に対して、自由雲台１２０を介して取り付けることもできる。
【００８８】
自由雲台１２０は、自由雲台本体１２２と、その自由雲台本体１２２に対して首振り自在に設けられた載置部１２４とで構成されている。載置部１２４は、自由雲台本体１２２に設けられたロックツマミ１２６を回動操作することにより、ロック／アンロックされる。
【００８９】
載置部１２４には、その載置面の中央にネジ部１２８が突出して設けられており、このネジ部１２８をＬＣＤ５０の固定部５２に形成されたＬＣＤ固定ネジ穴５４に螺合させて、ＬＣＤ５０を載置面の上に固定する。
【００９０】
自由雲台本体１２２には、その底面の中央に自由雲台固定ネジ穴１３０が形成されており、この自由雲台固定ネジ穴１３０にＬＣＤ固定ネジ１１４のネジ部１１４Ｂを螺合させて、ブラケット１００に固定する。
【００９１】
このように、自由雲台１２０を介してＬＣＤ５０をブラケット１００に取り付けることにより、ＬＣＤ５０の画面の向きをカメラマンの好みの向きに自由に調整することができるようになる。
【００９２】
なお、上記実施の形態のでは、ＬＣＤ５０をタッチパネル付きのＬＣＤで構成し、ＡＦ枠の操作をＬＣＤ５０で行うようにしているが、ＡＦ枠の操作は、フォーカスデマンド３０のボディ３６に設けられた操作部材で行うようにしてもよい。この場合、ＬＣＤ５０は、ＡＦ枠の表示や各種設定情報等の表示を行う。
【符号の説明】
【００９３】
１０…テレビカメラシステム、１２…テレビカメラ、１４…雲台、１６…ペデスタルドリー、１８…カメラ本体、２０…レンズ装置、２２…ビューファインダ、２４…操作棒、２４Ａ…グリップ部、２６…操作部、２６Ａ…グリップ部、２８…ズームデマンド、３０…フォーカスデマンド（フォーカスコントローラ）、３２…マウンティングクランプ、３４…サムリング、３６…フォーカスデマンドのボディ、３８…フォーカスデマンド固定、４０…装着部、４２…フォーカスノブ、４４…操作パネル、４５…液晶表示パネル、５０…タッチパネル付きの液晶ディスプレイ（ＬＣＤ）、５２…固定部、５４…ＬＣＤ固定ネジ穴、１００…ブラケット、１０２…垂直面部、１０４…水平面部、１０６…長穴、１０８…ブラケット固定ネジ、１０８Ａ…ツマミ部、１０８Ｂ…ネジ部、１１０…ブラケット固定ネジ穴、１１２…長穴、１１４…ＬＣＤ固定ネジ、１１４Ａ…ツマミ部、１１４Ｂ…ネジ部、１２０…自由雲台、１２２…自由雲台本体、１２４…載置部、１２６…ロックツマミ、１２８…ネジ部、１３０…自由雲台固定ネジ穴、２００…フォーカスエリア、２０２…撮像エリア、２０４…ＡＦ枠、３００…固定モード選択ボタン、３０２…物体追尾モード選択ボタン、３０４…顔検出追尾モード選択ボタン、３０６…顔認識追尾モード選択ボタン、３０８…セットボタン、３１０…リセットボタン
【図１】
2011109324.tif 000003
【図２】
2011109324.tif 000004
【図３】
2011109324.tif 000005
【図４】
2011109324.tif 000006
【図５】
2011109324.tif 000007
【図６】
2011109324.tif 000008
【図７】
2011109324.tif 000009